(57)【特許請求の範囲】
【請求項１】
後方下り傾斜の第１螺子孔と後方上り傾斜の第２螺子孔が長手方向に離間して設置される設置側横部材と、該設置側横部材に対峙する位置にあるタオル等の長尺物が掛けられる前方側横部材と、該設置側横部材と該前方側横部材を一方の側端又は両側端で接続する側部材とからなる一体形状の物掛け具本体部と、
該設置側横部材に、該第１螺子孔と該第２螺子孔を覆い隠すようにして設置される蓋部材を有することを特徴とする物掛け具。
【請求項２】
該設置側横部材は、該側部材に連続する狭い領域の厚肉部と該厚肉部と段差により形成される広い領域の薄肉部を有し、該薄肉部に該第１螺子孔と該第２螺子孔が形成されることを特徴とする請求項１記載の物掛け具。
【請求項３】
該第１螺子孔と該第２螺子孔が交互に、合計で４つ設置されることを特徴とする請求項１又は２記載の物掛け具。
【請求項４】
該第１螺子孔の後方下り傾斜及び該第２螺子孔の後方上り傾斜の傾斜角度が、設置面に対して垂直な水平面に対して１５〜４０度であることを特徴とする請求項１〜３のいずれか１項に記載の物掛け具。
【請求項５】
タオル掛けであることを特徴とする請求項１〜４のいずれか１項に記載の物掛け具。
【請求項６】
後方下り傾斜の第１螺子孔と後方上り傾斜の第２螺子孔が長手方向に離間して設置される設置側横部材と、該設置側横部材に対峙する位置にあるタオル等の長尺物が掛けられる前方側横部材と、該設置側横部材と該前方側横部材を一方の側端又は両側端で接続する側部材とからなる一体形状の物掛け具本体部を、該第１螺子孔と該第２螺子孔にそれぞれ螺子を通し、該螺子を設置面に対して後方下り方向及び後方上り方向にねじ込み、設置面に取り付けるＩ工程と、
該設置側横部材に、該第１螺子孔と該第２螺子孔を覆い隠す蓋部材を嵌め込むＩＩ工程を行うことを特徴とする物掛け具の取り付け方法。
【発明の詳細な説明】
【技術分野】
【０００１】
本発明は、トイレ、洗面所等のサニタリーの壁面や什器などの垂直面に設置されるタオル等の長尺物が掛けられる物掛け具及びその取り付け方法に関するものである。
【背景技術】
【０００２】
トイレ、洗面所などのサニタリーの壁面や什器などの垂直面に設置されるタオル等の長尺物が掛けられる物掛け具は、一方の側部が開口となっているため、タオルなどの交換が楽であり使い勝手がよい。
【０００３】
近年、左右方向に延びる設置側横部材と、該設置側横部材に対峙する位置にあるタオルが掛けられる前方側横部材と、該設置側横部材と該前方側横部材を一方の側端で接続する側部材とからなる剛性のある物掛け具が知られている。このような物掛け具は、外観形状がシンプルで、剛性があり高級感があるため好評である。
【０００４】
このような物掛け具の設置側横部材を設置面に螺子止めで固定するには前方側の横部材が螺子止めの障害となる。このため、設置側の横部材とそれ以外の部材の２部品を組み合わせたものが使用されている。
【０００５】
一方、特開２００２−１７４０５８号公報には、一対の引手を、戸の表裏面に取り付ける引手装置において、一方の引手の裏面に接続具を突設し、接続具は、取り付けられる戸の厚さ方向に長い長孔状又は長溝状の取付部を設けてあり、その取付部に、他方の引手の取付孔から挿入したねじを螺合して、一対の引手を戸に取り付けることを特徴とする引手装置が開示されている。この引手装置の凹部は、底面が引手の外形形状とほぼ同じで、その底面から斜め外側に傾斜して立ち上がる内周面を設け、その内周面の上部及び下部に、傾斜面に対して略直角に円形の取り付け孔を設けたものである。これにより、螺子を強く締めても鍔部がほとんど変形しないという作用効果が得られる。
【特許文献１】特開２００２−１７４０５８号公報（請求項１、図１及び図４）
【発明の開示】
【発明が解決しようとする課題】
【０００６】
しかしながら、２部品を組み合わせた物掛け具の場合、設置側の横部材を設置面に取り付ける工程と、更にこの設置された横部材に対して、他の部品を螺子を使用して組み付ける工程の２工程を必要とし、面倒である。また、このような物掛け具の場合、螺子の頭が露出するため、高級感が損なわれるという問題がある。
【０００７】
一方、特開２００２−１７４０５８号公報の引手装置において、螺子が斜め姿勢となるように螺子止めする方法は、引戸を操作する方向（左右方向）に対しては螺子が傾斜していないため、使用状態における引手の補強にはなっていない。
【０００８】
従って、本発明の目的は、設置面に対して実質的に１工程で設置することができ、且つ使用状態における作用力に対して螺子止め強度が高く、螺子の頭が外観からは見えない物掛け具及び簡易な方法で取り付けができる物掛け具の取り付け方法を提供することにある。
【課題を解決するための手段】
【０００９】
すなわち、本発明は、上記従来の課題を解決するものであって、後方下り傾斜の第１螺子孔と後方上り傾斜の第２螺子孔が長手方向に離間して設置される設置側横部材と、該設置側横部材に対峙する位置にあるタオル等の長尺物が掛けられる前方側横部材と、該設置側横部材と該前方側横部材を一方の側端又は両側端で接続する側部材とからなる一体形状の物掛け具本体部と、該設置側横部材に、該第１螺子孔と該第２螺子孔を覆い隠すようにして設置される蓋部材を有することを特徴とする物掛け具を提供するものである。
【００１０】
また、本発明は、後方下り傾斜の第１螺子孔と後方上り傾斜の第２螺子孔が長手方向に離間して設置される設置側横部材と、該設置側横部材に対峙する位置にあるタオル等の長尺物が掛けられる前方側横部材と、該設置側横部材と該前方側横部材を一方の側端又は両側端で接続する側部材とからなる一体形状の物掛け具本体部を、該第１螺子孔と該第２螺子孔にそれぞれ螺子を通し、該螺子を設置面に対して後方下り方向及び後方上り方向にねじ込み、設置面に取り付けるＩ工程と、該設置側横部材に、該第１螺子孔と該第２螺子孔を覆い隠す蓋部材を嵌め込むＩＩ工程を行うことを特徴とする物掛け具の取り付け方法物掛け具の取り付け方法を提供するものである。
【発明の効果】
【００１１】
本発明の物掛け具によれば、ドライバーで螺子止めする際、ドライバーは上下方向において傾斜姿勢となるように使用するため、前方側の横部材が障害とならない。このため、蓋部材を除いた物掛け具本体部をそのまま設置面に対して取り付けることができる。また、螺子は設置面に対して、上下方向において傾斜姿勢であるため、使用状態における作用力、すなわち前方への引張り力と上下方向への作用力に対して螺子止め強度が高い。また、螺子の頭は、蓋部材で覆われているため、螺子の頭が外観からは見えない。
【発明を実施するための最良の形態】
【００１２】
本発明の実施の形態における物掛け具及びその取り付け方法を図１〜図１０を参照して説明する。図１は本例の物掛け具の分解斜視図、図２は図１の物掛け具を裏から見た斜視図、図３は図１のＡ−Ａ線に沿って見た図、図４は図３のＢ−Ｂ線に沿って見た図、図５は図３のＣ−Ｃ線に沿って見た図、図６は図３のＤ−Ｄ線に沿って見た図、図７は図３のＥ−Ｅ線に沿って見た図、図８は物掛け具の取り付け方法を説明する図、図９は図８に続いて行なう工程を示す図、図１０は本例の物掛け具の斜視図をそれぞれ示す。本明細書中、左右方向及び上下方向は設置後の使用者側から見た方向を言う。なお、図８及び図９において螺子の取り付け方向を明確にする都合上、設置面及び設置内部の記載は省略して透明状態とした。
【００１３】
物掛け具１０は、物掛け具本体部１と、物掛け具本体部１の設置側横部材１１の第１螺子孔１５ａ、１５ｃと第２螺子孔１５ｂ、１５ｄを覆い隠すようにして設置される蓋部材２とからなるもので、例えば、サニタリーの垂直な壁面や什器の垂直板などに設置される。
【００１４】
物掛け具本体部１は、左右方向に延びる設置側横部材１１と、設置側横部材１１に前後方向において対峙する位置にあるタオル等の長尺物（不図示）が掛けられる前方側横部材１２と、設置側横部材１１と前方側横部材１２を一方の側端で接続する側部材１３とからなる片持ち状の一体形状物である。設置側横部材１１は、本例では側部材１３に連続する狭い領域の厚肉部１８と厚肉部１８と段差１７により形成される広い領域の薄肉部１４とからなる。
【００１５】
物掛け具本体部１における設置側横部材１１の厚肉部１８は側部材１３に連続する部分であって、所定厚みｗ、所定高さｈ及び所定長さｌ１を有する矩形断面形状物であって、設置側横部材１１の長さに比べて所定長さｌ１が遥かに小さいものである。
【００１６】
一方、薄肉部１４は厚みが薄く、所定高さｈと、設置側横部材１１の長さに比べてやや短い程度の長さｌ２を有する長尺状の基部１４ａと、基部１４ａとは段差を有して基部１４ａより一回り小さな長尺状の表部１４ｂからなる。すなわち、薄肉部１４の形状は基部１４ａと表部１４ｂの段差に蓋部材２が嵌ることで、裏面を除く３方向の側面部が面一となる形状である。
【００１７】
表部１４ｂには、側部材１３側から順に、後方下り傾斜の第１螺子孔１５ａ、後方上り傾斜の第２螺子孔１５ｂ、後方下り傾斜の第１螺子孔１５ｃ、後方上り傾斜の第２螺子孔１５ｄの４つの螺子孔が所定のピッチで形成されている。また、後方下り傾斜の第１螺子孔１５ａ、１５ｃは表部１４ｂの上縁で段差を潰すように形成され、後方上り傾斜の第２螺子孔１５ｂ、１５ｄは表部１４ｂの下縁で段差を潰すように形成されている。このように、第１螺子孔と第２螺子孔を左右方向に所定のピッチで交互に、且つ上下方向においても正面視でジグザグに形成することにより、設置面に対する螺子強度が向上する。
【００１８】
第１螺子孔１５ａ、１５ｃと第２螺子孔１５ｂ、１５ｄの後方上り傾斜の傾斜角度αは、前方側横部材１２の高さ、設置側横部材１１と前方側横部材１２の距離、ドライバーの種類等により異なり、一概には決定できないものの、概ね、設置面に対して垂直な水平面に対して１５〜４０度、好適には１７〜３０度である。この傾斜角度が小さ過ぎると、ドライバーで螺子止めする際、前方側の横部材が障害となり、また、この傾斜角度が大き過ぎると、螺子止め効果が得られなくなる。
【００１９】
第１螺子孔１５ａ、１５ｃと第２螺子孔１５ｂ、１５ｄの螺子孔は共に、先端側の小径部１５２ａ〜１５２ｄと手前側の大径部１５１ａ〜１５１ｄからなる段差を有する貫通孔であって、螺子は切られていない。すなわち、螺子Ｂの螺子部は設置面内に埋没し、螺子孔の段差に螺子頭が掛かり強い螺子止め効果が得られる。
【００２０】
薄肉部１４の表部１４ｂの第１螺子孔１５ａと第２螺子孔１５ｂ間、及び第１螺子孔１５ｃと第２螺子孔１５ｄ間の表部１４ｂの上下側面には、蓋部材２の第１爪部２２１ａ、２２１ｂが嵌合する四角形状の切り欠き部１６ａ、１６ｃが形成され、第２螺子孔１５ｂと第１螺子孔１５ｃ間の表部１４ｂの上下側面には、蓋部材２の第２爪部２２２が嵌合する台形断面形状の切り欠き部１６ｂが形成されている。これにより、蓋部材２の嵌合が強くなる。
【００２１】
設置側横部材１１の長さは前方側横部材１２の長さより数ｃｍ程度短くすることが、螺子止め強度を維持しつつ、前方から見ると前方側横部材１２に隠れて意匠性が高まる点で好ましい。また、設置側横部材１１の裏面には肉抜き１７が形成され、強度を維持しつつ、軽量化を図っている。
【００２２】
側部材１３は、設置側横部材１１の厚肉部１８と同じ高さｈを有した略矩形断面形状物であって、その前後方向における長さは手の指が余裕を持って入るのに十分な寸法である。この前後方向における長さが狭いと、手の指が入り難くなったり、厚手のタオルが掛け辛くなり、また、大き過ぎると、日常生活の中で使用者に当たる確率が高くなり、危険である。
【００２３】
前方側横部材１２は、設置側横部材１１の厚肉部１８及び側部材１３と同じ高さｈを有した略矩形断面形状物であって、設置側横部材１１の長さより長く、且つ開口側の一端が内側に屈曲している。これによりタオル等が掛け易くなり、また、使用者に怪我をさせることもない。
【００２４】
蓋部材２は一方の側（側部材１３側）が開口した天板２１、上下側板２２及び側板２３からなる浅い深さの長尺物であり、設置側横部材１１の薄肉部１４、すなわち基部１４ａと表部１４ｂの段差に嵌って、設置側横部材１１の裏面を除く３方向の側面部が面一となると共に、螺子頭を隠すものである。なお、蓋部材２の側板２３には人の爪が入る程度の切り欠き２３１が形成されている。これにより、蓋部材２が外し易くなる。また、蓋部材２の裏面には、設置側横部材１１の四角形状の切り欠き部１６ａ、１６ｃ及び台形断面形状の切り欠き部１６ｂに対応する位置に、それぞれ第１爪部２２１ａ、２２１ｂと第２爪部２２２を有している。
【００２５】
本例の物掛け具１０を設置面に取り付けるには、先ず、物掛け具本体部１を設置面にあてがい、手で押させ仮固定する。次いで第１螺子孔１５ａ、１５ｃか又は第２螺子孔１５ｂ、１５ｄを利用してドライバーで螺子止めする。すなわち、例えば図８に示すように、第１螺子孔１５ａに螺子Ｂを通し、ドライバーＡで螺子止めする。この際、螺子Ｂは第１螺子孔１５ａに誘導されて、後方下り傾斜姿勢となるため、ドライバーＡも同様に、後方下り傾斜姿勢となる。このため、前方側横部材１２が作業の障害とならない。次いで、第１螺子孔１５ｃに螺子Ｂを通し、ドライバーＡで螺子止めする。この際、同様に、螺子Ｂは第１螺子孔１５ｃに誘導されて、後方下り傾斜姿勢となるため、ドライバーＡも同様に、後方下り傾斜姿勢となる。このため、ドライバーＡは前方側横部材１２に当たることがなく作業の障害とならない。
【００２６】
次いで、図９に示すように、第２螺子孔１５ｂに螺子Ｂを通し、ドライバーＡで螺子止めする。この際、螺子Ｂは第１螺子孔１５ｂに誘導されて、後方上り傾斜姿勢となるため、ドライバーＡも同様に、後方上り傾斜姿勢となる。このため、ドライバーＡは前方側横部材１２に当たることがなく、作業の障害とならない。次いで、第２螺子孔１５ｄに螺子Ｂを通し、ドライバーＡで螺子止めする。この際、同様に、螺子Ｂは第２螺子孔１５ｄに誘導されて、後方上り傾斜姿勢となるため、ドライバーＡも同様に、後方上り傾斜姿勢となる。このため、ドライバーＡは前方側横部材１２に当たることがなく作業の障害とならない。これによりＩ工程は終了する。次いで、設置側横部材１１に、第１螺子孔と該第２螺子孔を覆い隠す蓋部材２を嵌め込むＩＩ工程を行う（図１０参照）。これにより、本例の物掛け具が設置面に形成される。
【００２７】
本例の物掛け具１０によれば、ドライバーＡで螺子止めする際、ドライバーＡは上下方向において傾斜姿勢となるように使用するため、前方側の横部材が障害とならない。このため、蓋部材を除いた物掛け具本体部をそのまま設置面に対して取り付けることができる。また、螺子は設置面に対して、上下方向において傾斜姿勢であり、またその傾斜姿勢が互い違いであり更に側面視でクロスしているため、使用状態における作用力、すなわち前方への引張り力と上下方向への作用力に対して螺子止め強度が高い。また、螺子の頭は、蓋部材で覆われているため、螺子の頭が外観からは見えず、一体感のある高級感を与えることができる。
【００２８】
本発明の物掛け具１０において、上記実施の形態例のものに限定されず、例えば設置側横部材１１の表部１４ｂの形状は、上下幅方向の上方半分を後方下り傾斜面、上下幅方向の下方半分を後方上り傾斜面とし、後方下り傾斜面に第１螺子孔を、後方上り傾斜面に第２螺子孔を、それぞれ互い違いに形成するものであってもよい。この場合、蓋部材の天板形状が表部１４ｂの形状に沿ったものでも、それ以外の形状のものであってもよい。また、第１螺子孔と第２螺子孔は交互に合計２つ又は４つ以上であってもよく、第１螺子孔と第２螺子孔のいずれかが多くなる３つ又は５つであってもよい。螺子孔は多すぎても無駄となるのみである。また、設置側横部材１１の蓋部材２と係合する切り欠き部の設置位置及び形状も適宜決定できる。
【００２９】
また、第１螺子孔と第２螺子孔は後方下り傾斜又は後方上り傾斜に加えて、左右方向に傾斜したものであってもよい。すなわち、第１螺子孔及び第２螺子孔は、側面視で傾斜姿勢であり且つ平面視でも傾斜姿勢であってもよい。この場合、互いに隣接する螺子同士の傾斜方向が逆となるようにするのが螺子止め効果が高いという点で好適である。
【００３０】
また、蓋部材２は上記実施の形態例に限定されず、設置後、裏面を除く３方の側面と面一とならない蓋形状であってもよく、係合爪の設置位置、形状も適宜決定できる。また、前方側横部材１２には、滑り止めの凹凸が形成されていてもよい。
【００３１】
また、本発明の物掛け具の取り付け方法において、上記実施の形態に限定されず、先に第２螺子孔１５ｂ、１５ｄを利用して螺子Ｂを締め付け、その後、第１螺子孔１５ａ、１５ｃを利用して螺子Ｂを締め付けてもよい。
【００３２】
また、本発明の物掛け具は、図１１に示すようなものであってもよい。図１１において、図１と同一構成要素には同一符号を付して、その説明を省略する。図１１において、図１と異なる点は、設置側横部材１１と前方側横部材１２を両側端で接続する側部材１３、１３とからなるリング状の一体形状物とした点にある。この物掛け具１０ａにおいても物掛け具１０と同様の効果を奏する。本発明において、物とは、タオル等の長尺物が挙げられる。
【産業上の利用可能性】
【００３３】
一戸建て、マンション、宿泊設備などの生活空間におけるサニタリーの壁面や什器の垂直面に対して施工する際、施工効率が向上する。また、設置強度が高いため、剛性のある物掛け具が設置できる。このため、設置後の物掛け具は螺子頭が見えない意匠性に優れたものとなる。
【図面の簡単な説明】
【００３４】
【図１】本発明の実施の形態例の物掛け具の分解斜視図である。
【図２】図１の物掛け具を裏から見た斜視図である。
【図３】図１のＡ−Ａ線に沿って見た図である。
【図４】図３のＢ−Ｂ線に沿って見た図である。
【図５】図３のＣ−Ｃ線に沿って見た図である。
【図６】図３のＤ−Ｄ線に沿って見た図である。
【図７】図３のＥ−Ｅ線に沿って見た図である。
【図８】物掛け具の取り付け方法を説明する図である。
【図９】図８に続いて行なう工程を示す図である。
【図１０】本例の物掛け具の斜視図である。
【図１１】本発明の他の実施の形態例の物掛け具の分解斜視図である。
【符号の説明】
【００３５】
１      物掛け具本体部
２      蓋部材
１０    物掛け具
１１    設置側横部材
１２    前方側横部材
１３    側部材
１４    薄肉部
１５ａ、１５ｃ    第１螺子孔
１５ｂ、１５ｄ    第２螺子孔
１７      段差
１８      厚肉部
【図１】
0005179213.tif 000002
【図２】
0005179213.tif 000003
【図３】
0005179213.tif 000004
【図４】
0005179213.tif 000005
【図５】
0005179213.tif 000006
【図６】
0005179213.tif 000007
【図７】
0005179213.tif 000008
【図８】
0005179213.tif 000009
【図９】
0005179213.tif 000010
【図１０】
0005179213.tif 000011
【図１１】
0005179213.tif 000012